(57)【特許請求の範囲】
【請求項１】
固定電話網に接続された電話装置であって、
携帯情報端末と無線接続する無線通信部と、
前記携帯情報端末を宅外／宅内のどちらで使用するかの設定情報を記憶する記憶部と、
固定電話網から前記電話装置に着信があった場合に、前記電話装置と前記携帯情報端末とを着信鳴動させる制御部と、を備え、
前記制御部は、前記着信があったときから所定時間経過後に、
前記設定情報が、前記携帯情報端末が前記宅内で使用すると設定されている場合には、前記電話装置と前記宅内で使用すると設定されている前記携帯情報端末との着信鳴動を停止させ、前記電話装置の留守応答を開始させ、
前記設定情報が、前記携帯情報端末が前記宅外で使用すると設定されている場合には、前記電話装置の着信鳴動を停止させて前記電話装置に留守応答を開始させ、かつ、前記留守応答の間は前記宅外で使用すると設定された前記携帯情報端末の着信鳴動を継続させる、
電話装置。
【請求項２】
前記制御部は、
前記着信鳴動の継続中は前記宅外で使用すると設定された前記携帯情報端末に対して留守応答中である旨の表示を行うように制御する、請求項１に記載の電話装置。
【請求項３】
前記宅外で使用するか又は前記宅内で使用するかの設定情報は、電話装置に設けられたボタンで設定される、請求項１記載の電話装置。
【請求項４】
固定電話網に接続された電話装置における着信鳴動制御方法であって、
携帯情報端末と無線接続し、
前記携帯情報端末を宅外／宅内のどちらで使用するかの設定情報を記憶部で記憶しており、
固定電話網から前記電話装置に着信があったときから所定時間経過後に、
前記設定情報が、前記携帯情報端末が前記宅内で使用すると設定されている場合には、前記電話装置と前記宅内で使用すると設定されている前記携帯情報端末との着信鳴動を停止させて、前記電話装置の留守応答を開始させ、
前記設定情報が、前記携帯情報端末が前記宅外で使用すると設定されている場合には、前記電話装置の着信鳴動を停止させて前記電話装置に留守応答を開始させ、かつ、前記留守応答の間は前記宅外で使用すると設定された前記携帯情報端末の着信鳴動を継続させる、
着信鳴動制御方法。
【発明の詳細な説明】
【技術分野】
【０００１】
本発明は、電話装置および着信鳴動制御方法に関する。
【背景技術】
【０００２】
近年、家庭に置く固定回線用の電話機は、リビングやキッチン、寝室などに子機を設置して使用できるコードレスタイプのものが普及している。ただ専用子機を追加するためにはそれなりにコストがかかるため、すでに利用しているスマートホンをコードレス電話機の子機としても利用できるサービス機能が求められている。
【０００３】
このようなサービス機能を部分的に具現化する方法として、回線交換網からの着呼をインターネットなどパケット交換網上のクライアントに着信させる装置についての技術が知られている（特許文献１）。
【先行技術文献】
【特許文献】
【０００４】
【特許文献１】特開平１１−３５５３５８号公報
【発明の概要】
【発明が解決しようとする課題】
【０００５】
しかしながら、特許文献１に開示された技術は、装置に登録されている全ての携帯情報端末に対して着信通知を行うことを可能にするという目的は達成しうるものの、携帯情報端末を宅外においてもコードレス電話機の子機として使用する場合の使い勝手については考慮されていなかった。例えば、携帯情報端末を宅外に持ち出して宅外から応答可能であるにもかかわらずコードレス電話機の親機が先に留守応答してしまうために応答できない等である。
【０００６】
本発明は、このような従来技術の課題を解決するべく案出されたものであり、その主な目的は、携帯情報端末（携帯電話機、スマートホン等を含む）を宅外においてもコードレス電話機の子機として使い勝手良く使用することが可能な電話装置および着信鳴動制御方法を提供することにある。
【課題を解決するための手段】
【０００７】
本発明は、固定電話網に接続されたコードレス親機を備えた電話装置であって、
携帯情報端末と無線接続する無線通信部と、
前記携帯情報端末を宅外／宅内のどちらで使用するかの設定情報を記憶する記憶部と、
固定電話網から前記電話装置に着信があった場合に、前記電話装置と前記携帯情報端末とを着信鳴動させる制御部と、を備え、
前記制御部は、前記着信があったときから所定時間経過後に、
前記設定情報が、前記携帯情報端末が前記宅内で使用すると設定されている場合には、前記電話装置と前記宅内で使用すると設定されている前記携帯情報端末との着信鳴動を停止させ、前記電話装置の留守応答を開始させ、
前記設定情報が、前記携帯情報端末が前記宅外で使用すると設定されている場合には、前記電話装置の着信鳴動を停止させて前記電話装置に留守応答を開始させ、かつ、前記留守応答の間は前記宅外で使用すると設定された前記携帯情報端末の着信鳴動を継続させる。
【発明の効果】
【０００８】
本発明によれば、上述の構成によって、携帯情報端末を宅外においてもコードレス電話機の子機として使い勝手良く使用することが可能なコードレス電話装置を提供できる。
【図面の簡単な説明】
【０００９】
【図１】第１実施形態におけるコードレス電話システムの概要を示す模式図
【図２】第１実施形態におけるコードレス電話システムの親機ブロック図
【図３】第１実施形態におけるコードレス電話システムの子機ブロック図
【図４】第１実施形態におけるコードレス電話システムの携帯情報端末ブロック図
【図５】第１実施形態におけるコードレス電話システムの着信呼出シーケンス図
【図６】第１実施形態におけるコードレス電話システムの留守応答シーケンス図
【図７】第１実施形態におけるコードレス電話システムの親機の留守応答動作を示すフローチャート
【図８】第１実施形態におけるコードレス電話システムの留守応答時の宅外携帯情報端末の応答シーケンス図
【図９】第１実施形態におけるコードレス電話システムの留守応答時の対応を示す図
【図１０】第２実施形態におけるコードレス電話システムの留守応答シーケンス図
【図１１】第２実施形態におけるコードレス電話システムの親機の留守応答動作を示すフローチャート
【図１２】第２実施形態におけるコードレス電話システムの留守応答時の対応を示す図
【発明を実施するための形態】
【００１０】
前記課題を解決するためになされた本発明は、
固定電話網に接続されたコードレス親機を備えたコードレス電話装置であって、
前記コードレス親機は、
コードレス子機と無線接続する第１の無線通信部と、
携帯情報端末と無線接続する第２の無線通信部と、
前記携帯情報端末を宅外／宅内のどちらで使用するかの設定情報を記憶する記憶部と、
固定電話網から着信があった場合に、
前記コードレス子機と前記携帯情報端末とを着信鳴動させ、
所定時間経過後に、留守応答を開始するとともに前記宅外で使用すると設定された携帯情報端末を除く着信鳴動を停止させ、
前記留守応答中は前記宅外で使用すると設定された携帯情報端末の着信鳴動を継続するように制御する制御部と、
を備えたことを特徴とするコードレス電話装置である。
【００１１】
これによって、携帯情報端末を宅外においてもコードレス電話機の子機として使い勝手良く使用することが可能なコードレス電話装置を提供できる。特に、固定電話網からの着信に対して、コードレス電話機の親機が留守電応答中であっても、宅外に持ち出した携帯情報端末は留守電応答が終了するまでは着信鳴動を継続するため、利用者は応答機会を失うことなく着信に応答することができる。
【００１２】
また、本発明は、
前記制御部は、前記着信鳴動の継続中は前記宅外で使用すると設定された携帯情報端末に対して親機が留守応答中である旨の表示を行うように制御するものである。
【００１３】
これによって、着信鳴動中の宅外の携帯情報端末には親機が留守応答中である旨の表示がされるため、利用者は親機が留守応答中であることを把握しつつ着信に応答することができる。
【００１４】
以下、本発明の実施形態について、図面を参照して説明する。
【００１５】
（第１の実施形態）
＜コードレス電話システムの概要＞
図１は、第１実施形態におけるコードレス電話システムの概要を示す模式図である。以下、図１を用いて、コードレス電話システムの構成について説明する。なお、以下の説明において、携帯情報端末の一例としてスマートホン（スマホ）を含む携帯電話機を挙げるが、本発明はこれに限定するものではない。
【００１６】
図１では、宅内にコードレス電話親機１０が設けられ、コードレス電話親機１０は、無線ＬＡＮルータ機能を備えたアクセスポイント２０を介して、インターネットに接続しており、一方で、固定電話網に接続している。また、宅内には、コードレス電話親機１０と接続するコードレス電話子機３０と、アクセスポイント２０及び携帯電話網に接続する携帯電話機４０−１、４０−２が存在するものとする。なお、特定の携帯電話機を区別しない場合には、携帯電話機４０と総称する。
【００１７】
コードレス電話子機３０は、コードレス電話親機１０を介して、固定電話網に接続可能であり、コードレス電話親機１０及びアクセスポイント２０を介して、携帯電話機４０−１と接続可能である。携帯電話機４０−１は、アクセスポイント２０を介して、コードレス電話親機１０と無線ＬＡＮにて接続する。また、携帯電話機４０−１が、アクセスポイント２０及びコードレス電話親機１０を介して、コードレス電話子機３０、固定電話網に接続可能である。
【００１８】
携帯電話機４０が宅外において動作する場合、即ち図１における携帯電話機４０−２は、携帯電話網あるいはインターネット上の（図示しない）外部のアクセスポイントを介してインターネットに接続され、上述のインターネットに接続されたコードレス電話親機１０と接続可能に構成される。
【００１９】
なお、図１では、携帯電話機４０が、アクセスポイント２０を介して、コードレス電話親機１０と接続する場合を示しているが、コードレス電話親機１０に無線ＬＡＮリピータ機能を設け、携帯電話機４０が、コードレス電話親機１０とダイレクトに接続し、コードレス電話親機１０からアクセスポイント２０を介してインターネットに接続することもできる。
【００２０】
また、コードレス電話子機３０とコードレス電話親機１０とはＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）による無線通信方式を採用した例を示すが、本発明はこれに限定するものではない。
【００２１】
＜コードレス電話親機の構成＞
図２は、第１実施形態におけるコードレス電話システムの親機ブロック図である。以下、図２を用いて、コードレス電話親機１０の構成について説明する。
【００２２】
ＮＣＵ及びモデム部１０１は、発信時の公衆回線との接続および公衆回線からの着信検出などの電話回線の制御を行う回線制御回路（ＮＣＵ（Ｎｅｔｗｏｒｋ  Ｃｏｎｔｒｏｌ  Ｕｎｉｔ））と、着信時に公衆回線からの発信者番号情報を受信するモデム部である。
【００２３】
ＴＡＭ部１０２は、ＴＡＭ（Ｔｅｌｅｐｈｏｎｅ  Ａｎｓｗｅｒｉｎｇ  Ｍａｃｈｉｎｅ）であって、留守番電話メッセージを記憶し、メッセージの録音及び再生を行う。
【００２４】
記憶部１０３は、コードレス電話装置の各種設定データ、電話帳データ、発着信履歴情報、ＳＭＳメッセージ等の子機の通信履歴を含む子機付加情報を記憶する。
【００２５】
また、記憶部１０３は、子機情報を記憶する。子機情報は、各々のコードレス電話子機３０と、各々のコードレス電話子機３０の接続状態、子機名、子機番号（子機内線番号またはポート番号）、着信音メモリ情報（メモリ容量、または再生時間）、使用ＣＯＤＥＣ等で構成され、子機名および子機番号は、子機を識別するための子機識別情報として用いられる。
【００２６】
更に、子機情報は、コードレス電話子機３０に関する情報の他に携帯電話機４０に関する情報も記憶、管理している。特に、携帯電話機４０を携帯電話機４０−１として宅内で使用するのか、あるいは、携帯電話機４０−２として宅外で使用するのかの設定情報も記憶、管理している。例えば、宅外に発信する為の情報（電話番号や外部サーバー情報）もその設定情報となる。
【００２７】
音声入出力部１０４は、マイク、スピーカとＣＯＤＥＣから構成され、着信音の出力、通話音声の入力出力を行う。
【００２８】
操作部１０５は、ユーザが操作を行うダイヤル、各種機能ボタンから構成され、ＬＣＤ部１０６は、ＬＣＤ（Ｌｉｑｕｉｄ  Ｃｒｙｓｔａｌ  Ｄｉｓｐｌａｙ）等の表示部であって、各種情報を表示する。
【００２９】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００３０】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式等）に従った発呼、着呼等のプロトコル制御を行う。なお、以下の説明では、コードレス電話子機３０との間の制御プロトコルにＤＥＣＴ方式を採用するものとする。
【００３１】
無線ＬＡＮ  Ｉ／Ｆ部１０９は、ＩＥＥＥ８０２．１１（Ｗｉ−Ｆｉ（登録商標））、の無線ＬＡＮプロトコル制御を行い、携帯電話機４０との無線データの送受信を行う。なお、無線ＬＡＮ  Ｉ／Ｆ部１０９は、Ｂｌｕｅｔｏｏｔｈ（登録商標）やＺｉｇＢｅｅ（登録商標）等の近距離無線通信技術を用いても良い。
【００３２】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。
【００３３】
例えば、ＮＣＵ及びモデム部１０１及びコードレス電話子機制御部１０８から受信したイベント、及び、各種メッセージを処理する。特に、固定電話網からＮＣＵ及びモデム部１０１に着信が有った場合、固定電話網から受信したメッセージに付帯する発信者番号を利用した各種サービスのための制御を行う。
【００３４】
また、例えば、（図示しない）タイマのタイムアウトのイベント発生により、ＴＡＭ部１０２を制御して留守番電話メッセージの録音・再生を行う。
【００３５】
また、例えば、記憶部１０３に記憶された携帯電話機４０を宅内で使用するのか、あるいは、宅外で使用するのかの設定情報を参照して、着信鳴動の停止／継続を制御する。この携帯電話機４０を宅内で使用するのか、あるいは、宅外で使用するのかの設定情報は、（図示しない）「外で通話」ボタンをコードレス電話親機１０に設けて、このボタンを利用者が外出時に押下することにより設定してもよい。
【００３６】
また、例えば、無線ＬＡＮ  Ｉ／Ｆ部１０９を介して、携帯電話機４０へ着信鳴動の停止のメッセージを送信する制御を行う。
【００３７】
＜コードレス電話子機の構成＞
図３は、第１実施形態におけるコードレス電話システムの子機ブロック図である。以下、図３を用いて、コードレス電話子機３０の構成について説明する。
【００３８】
記憶部１３１は、例えば電話帳データ等のコードレス電話子機３０で使用する各種データを所定の記憶エリアに記憶する。
【００３９】
音声入出力部１３２は、マイク、スピーカとＣＯＤＥＣから構成され、着信音の出力、通話音声の入力出力を行う。
【００４０】
操作部１３３は、ユーザが操作を行うダイヤル、および、各種機能ボタンから構成され、ＬＣＤ部１３４は、各種情報を表示する。
【００４１】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００４２】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式等）に従った発呼、着呼等のプロトコル制御を行う。
【００４３】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。
【００４４】
例えば、固定電話網への着信時に、コードレス電話親機１０から発信者番号を利用したサービス情報を含む着信メッセージを受信すると、所定の着信音を鳴動させ、着信メッセージに付与されているサービス情報を抽出し、必要に応じて記憶部１３１の所定の記憶エリアにサービス情報を記憶させたり、ＬＣＤ部１３４に着信中の表示画面としてサービス情報を表示させたりする等の制御を行う。
【００４５】
＜携帯情報端末の構成＞
図４は、第１実施形態におけるコードレス電話システムの携帯情報端末ブロック図である。以下、図４を用いて、携帯電話機４０の構成について説明する。
【００４６】
セルラー無線Ｉ／Ｆ部１４１は、携帯電話用アンテナを介して携帯電話基地局との無線データ送受信を行う。
【００４７】
セルラー制御部１４２は、携帯電話基地局との間で制御データを送受信し、制御プロトコル（例えば、広く知られた３ＧＰＰ規格準拠の携帯電話プロトコル等）に従った発呼、着呼等のプロトコル制御を行う。
【００４８】
記憶部１４３は、携帯電話機４０の各種設定データ、電話帳データ、発着信履歴情報、ＳＭＳメッセージ、各種画像データ、音楽データ（着信音データを含む）等の情報を記憶する。
【００４９】
音声入出力部１４４は、マイク、スピーカから構成され、着信音の出力、通話音声の入力出力を行う。
【００５０】
操作部１４５は、ユーザが操作を行うダイヤル、および、各種機能ボタンから構成され、ＬＣＤ部１４６は、各種情報を表示する。なお、携帯電話機４０がスマートホンの場合はタッチパネルが操作部１４５とＬＣＤ部１４６の機能を兼ね備える。
【００５１】
無線ＬＡＮ  Ｉ／Ｆ部１４７は、ＩＥＥＥ８０２．１１の無線ＬＡＮプロトコル制御を行い、コードレス電話親機１０との無線データの送受信を行う。なお、コードレス電話親機１０側に合わせてＢｌｕｅｔｏｏｔｈ（登録商標）やＺｉｇＢｅｅ（登録商標）等の近距離無線通信技術を用いても良い。
【００５２】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。
【００５３】
例えば、セルラー無線Ｉ／Ｆ部１４１を介して携帯電話基地局から受信した呼制御メッセージを処理する。また、無線ＬＡＮ  Ｉ／Ｆ部１４７を介してコードレス電話親機１０から受信した呼制御メッセージを処理する。
【００５４】
＜着信呼出〜留守応答まで＞
図５は、第１実施形態におけるコードレス電話システムの着信呼出シーケンス図である。
【００５５】
固定電話網からコードレス電話親機１０に着信が有った場合（ステップ２０１）、コードレス電話親機１０のＮＣＵ及びモデム部１０１が、例えば広く知られたＱ．９３１仕様に準拠したＳｅｔｕｐメッセージを受信する。親機制御部１１０は、記憶部１０３を参照して着信すべき子機を確認する。
【００５６】
ここでは、記憶部１０３に、着信を転送すべき子機としてコードレス電話子機３０、携帯電話機４０−１、携帯電話機４０−２が登録されているものとして説明する。また、図１において説明したように携帯電話機４０−２は携帯電話機４０が宅外にある場合を示している。
【００５７】
親機制御部１１０は、コードレス電話親機１０自身を着信状態に遷移させるとともに、コードレス電話子機３０、携帯電話機４０−１、携帯電話機４０−２に対して着信処理を行う（ステップ２０２）。
【００５８】
コードレス電話子機３０への着信処理は、例えば上記Ｑ．９３１仕様に準拠したＳｅｔｕｐメッセージ相当の着信メッセージを送信することにより行う。また、携帯電話機４０への着信は、例えばＳＩＰ（Ｓｅｓｓｉｏｎ  Ｉｎｉｔｉａｔｉｏｎ  Ｐｒｏｔｏｃｏｌ）に準拠してＩＮＶＩＴＥメッセージによる着信メッセージを送信することにより行う。
【００５９】
携帯電話機４０へ送信するＩＮＶＩＴＥメッセージには、宅内の携帯電話機４０、即ち携帯電話機４０−１の場合は内部ネットワーク（ＬＡＮ）の宛先が含まれ、宅内の携帯電話機４０、即ち携帯電話機４０−２の場合は外部ネットワーク（ＷＡＮ）の宛先が含まれる。
【００６０】
着信メッセージを受信したコードレス電話子機３０、携帯電話機４０−１、携帯電話機４０−２は、それぞれのプロトコルに準拠した応答を行い呼出中の状態に遷移する（ステップ２０３）。呼出中の状態とは、具体的にはＬＣＤに発信者番号を表示して着信鳴動を行っている等の状態である。
【００６１】
コードレス電話子機３０、携帯電話機４０−１、携帯電話機４０−２のそれぞれから着信メッセージに対する応答を受信したコードレス電話親機１０は、呼出中の状態に遷移する（ステップ２０４）。
【００６２】
図６は、第１実施形態におけるコードレス電話システムの留守応答シーケンス図である。
【００６３】
呼出中の状態に遷移したコードレス電話親機１０は、所定の時間が経過してもコードレス電話子機３０、携帯電話機４０−１、携帯電話機４０−２およびコードレス電話親機１０自身での利用者による応答操作がなかった場合（ステップ２０５）、以下に示す留守番電話メッセージによる留守応答を行う。
【００６４】
コードレス電話親機１０は、留守応答に先立ち先ずコードレス電話親機１０自身の着信鳴動を停止するとともに、コードレス電話子機３０と携帯電話機４０−１に対して着信鳴動の停止処理を行う（ステップ２０６）。
【００６５】
コードレス電話子機３０への着信鳴動の停止処理は、例えば内部メッセージ、あるいは、上記Ｑ．９３１仕様に準拠したＩｎｆｏメッセージ相当のメッセージに着信鳴動の停止を示す情報要素を含めて送信することにより行う。また、携帯電話機４０−１への着信鳴動の停止処理は、例えばＳＩＰに準拠してＣＡＮＣＥＬメッセージを送信することにより行う。
【００６６】
ここで、第１実施形態におけるコードレス電話システムにおいて特徴的なことは、留守応答を行う場合に、宅外の携帯電話機４０、即ち携帯電話機４０−２に対しては着信鳴動の停止処理は行わないことである。詳細は後述する。
【００６７】
コードレス電話親機１０は、次に宅内の携帯電話機４０、即ち携帯電話機４０−１に対して留守応答中を表示する処理を行う（ステップ２０７）。
【００６８】
携帯電話機４０−１への留守応答中を表示する処理は、例えばＳＩＰに準拠してＮＯＴＩＦＹメッセージに留守応答中表示を示す情報要素を含めて送信することにより行う。
【００６９】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網およびコードレス電話子機３０との間の音声パスを接続して留守番電話メッセージを聴取可能に制御する（ステップ２０８）。そして呼出停止中で留守番電話メッセージ聴取中の状態に遷移する。
【００７０】
図７は、第１実施形態におけるコードレス電話システムの親機の留守応答動作を示すフローチャートである。
【００７１】
図７では、図６において説明したコードレス電話システムの留守応答動作の中でもコードレス電話親機１０の留守応答動作について更に詳しく説明する。
【００７２】
呼出中の状態に遷移したコードレス電話親機１０は、所定の時間が経過したか否かを判断する（ステップ３０１）。ここで所定の時間が経過とは、（図示しない）タイマのタイムアウトだけに限定されず、例えば着信鳴動を４回繰り返すといった条件であれば４回繰り返したか否かの判断も含む。これらの条件は、記憶部１０３に予め装置の初期値として設定しても良いし、利用者が操作部１０５等によりパラメータとして設定しても良い。
【００７３】
ステップ３０１において、所定の時間が経過していなければ所定の時間が経過するまで待つ（ステップ３０１：Ｎｏ）。所定の時間が経過していれば（ステップ３０１：Ｙｅｓ）、先ず音声入出力部１０４から発しているコードレス電話親機１０自身の着信鳴動を停止する（ステップ３０２）。
【００７４】
コードレス電話親機１０は、次に記憶部１０３に記憶されている登録子機（子機として登録されている携帯電話機と、更にその携帯電話機についての宅外／宅内の情報を含む）と登録子機の現在の状態を参照する（ステップ３０３）。
【００７５】
ステップ３０３において、呼出中（着信鳴動中）の状態の宅外の携帯電話機があれば（ステップ３０３：Ｎｏ）、その宅外の携帯電話機の状態は変えずに、即ち着信鳴動をさせたままで、ステップ３０７に移行する。
【００７６】
ステップ３０３において、呼出中（着信鳴動中）の状態の子機や宅内の携帯電話機があれば（ステップ３０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ３０４）。
【００７７】
そして、着信鳴動を停止させた登録子機が宅内の携帯電話機か否かを判断し（ステップ３０５）、宅内の携帯電話機であれば（ステップ３０５：Ｙｅｓ）、その宅内の携帯電話機に留守応答中である旨の表示をさせるためのメッセージを無線ＬＡＮ  Ｉ／Ｆ部１０９を介して送信し、留守応答中である旨の表示をさせる処理を行う（ステップ３０６）。
【００７８】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０およびＴＡＭ部１０２と固定電話網との間の音声パスを接続する（ステップ３０７）。
【００７９】
留守番電話メッセージは、例えば、発信者に聞かせる「ただいま電話に出ることができません」という応答メッセージであり、ＯＧＭ（Ｏｕｔｇｏｉｎｇ  Ｍｅｓｓａｇｅ）とも言われる。また、そのＯＧＭ再生メッセージを聞いた発信者が残すメッセージはＩＣＭ（Ｉｎｃｏｍｉｎｇ  Ｍｅｓｓａｇｅ）とも言われる。
【００８０】
ＴＡＭ部１０２とコードレス電話親機１０自身との間の音声パスが接続されるとＴＡＭ部１０２からのＯＧＭ再生メッセージが音声入出力部１０４から発せられる。ＴＡＭ部１０２とコードレス電話子機３０の間の音声パスが接続されるとＴＡＭ部１０２からのＯＧＭ再生メッセージがコードレス電話子機無線Ｉ／Ｆ部１０７を介してコードレス電話子機３０に送信される。
【００８１】
ＴＡＭ部１０２と固定電話網との間の音声パスが接続されるとＴＡＭ部１０２からのＯＧＭ再生メッセージがＮＣＵ及びモデム部１０１を介して公衆回線につながる発信者に向けて送信される。また、ＮＣＵ及びモデム部１０１を介して受信する発信者からのＩＣＭ録音メッセージがＴＡＭ部１０２に録音される。
【００８２】
そして、コードレス電話親機１０自身は呼出停止中（留守番電話メッセージ聴取中）の状態に遷移する。
【００８３】
このように、留守応答を行う場合に、コードレス電話子機３０や宅内の携帯電話機４０−１に対しては着信鳴動の停止処理を行うが、宅外の携帯電話機４０、即ち携帯電話機４０−２に対しては着信鳴動の停止処理は行わないのである。
【００８４】
なお、上記では、呼出中の状態のコードレス電話親機１０が呼出停止中（留守番電話メッセージ聴取中）の状態に遷移する過程で、所定の時間が経過後に、先ずコードレス電話親機１０自身の着信鳴動を停止するように説明したが、その着信鳴動の停止や留守応答中である旨の表示を行う順序はこれに限定されるものではない。例えば、コードレス電話親機１０自身の着信鳴動を停止する前に、子機や宅内の携帯電話機の着信鳴動を停止しても良い。
【００８５】
＜留守応答〜宅外携帯情報端末の応答まで＞
図８は、第１実施形態におけるコードレス電話システムの留守応答時の宅外携帯情報端末の応答シーケンス図である。
【００８６】
呼出中（着信鳴動中）の状態の宅外の携帯電話機４０、即ち携帯電話機４０−２において、利用者がオフフックして呼出に応答するとコードレス電話親機１０に応答メッセージ「２００  ＯＫ」を送信する（ステップ４０１）。
【００８７】
応答メッセージ「２００  ＯＫ」を受信したコードレス電話親機１０は固定電話網に対して着信応答処理を行う（ステップ４０２）とともに、呼出停止中で留守番電話メッセージ聴取中の状態にある携帯電話機４０−１とコードレス電話子機３０に対して解放処理を行う（ステップ４０３）。
【００８８】
着信応答処理は、コードレス電話親機１０が固定電話網に向けて着信に対する応答を示す、例えば、Ｃｏｎｎｅｃｔメッセージを送信することにより行う。
【００８９】
解放処理は、コードレス電話親機１０が携帯電話機４０−１に向けて、例えば、ＢＹＥメッセージを送信することにより行う。同様にコードレス電話子機３０に向けて、例えば、Ｒｅｌメッセージを送信することにより行う。
【００９０】
以上により、携帯電話機４０−２は固定電話網との通話中状態となり、携帯電話機４０−１とコードレス電話子機３０は待機中状態に遷移する。更にコードレス電話親機１０自身も待機中状態に遷移する。
【００９１】
＜留守応答時の時間経過による対応＞
図９は、第１実施形態におけるコードレス電話システムの留守応答時の対応を示す図である。
【００９２】
図９において、着信からＯＧＭ再生等の時間経過とともに携帯電話機４０−１等が対応可能な動作の一例を示す。
【００９３】
符号５０１に示すコードレス電話親機１０およびコードレス電話子機３０は、符号５０４に示すベル着信の期間は、ベル鳴動をデフォルトで４回繰り返す。この期間中に着信に対する応答が無ければ、ベル鳴動を停止し、符号５０５に示すＯＧＭ再生の期間に移る。
【００９４】
符号５０５に示すＯＧＭ再生の期間は、ＯＧＭ再生の音声をモニタし、コードレス電話親機１０またはコードレス電話子機３０においてオフフックによって着信に対する応答があれば着信可能である。この期間中に着信に対する応答が無ければ、符号５０６に示すＩＣＭ録音の期間に移る。
【００９５】
符号５０６に示すＩＣＭ録音の期間は、ＩＣＭ録音の音声をモニタし、コードレス電話親機１０またはコードレス電話子機３０においてオフフックによる応答があれば着信可能である。この期間中に着信に対する応答が無ければ、着信は切断される。
【００９６】
符号５０２に示す宅内の携帯電話機４０−１は、符号５０４に示すベル着信の期間は、ベル鳴動を所定時間（ここではコードレス電話親機１０およびコードレス電話子機３０がベル鳴動する期間に合わせる）繰り返す。この期間中に着信に対する応答が無ければ、ベル鳴動を停止し、符号５０５に示すＯＧＭ再生の期間に移る。
【００９７】
符号５０５に示すＯＧＭ再生の期間は、「留守電応答中」を表示し、携帯電話機４０−１においてオフフックによって着信に対する応答があれば着信可能である。この期間中に着信に対する応答が無ければ、符号５０６に示すＩＣＭ録音の期間に移る。
【００９８】
符号５０６に示すＩＣＭ録音の期間は、「留守電応答中」を表示し、携帯電話機４０−１においてオフフックによる応答があれば着信可能である。この期間中に着信に対する応答が無ければ、着信は切断される。
【００９９】
符号５０３に示す宅外の携帯電話機４０−２は、符号５０４に示すベル着信の期間は、ベル鳴動を所定時間（ここではコードレス電話親機１０およびコードレス電話子機３０がベル鳴動する期間）繰り返す。この期間中に着信に対する応答が無ければ、ベル鳴動を停止することなく、符号５０５に示すＯＧＭ再生の期間に移る。
【０１００】
符号５０５に示すＯＧＭ再生の期間は、ベル鳴動は継続し、携帯電話機４０−２においてオフフックによって着信に対する応答があれば着信可能である。この期間中に着信に対する応答が無ければ、符号５０６に示すＩＣＭ録音の期間に移る。
【０１０１】
符号５０６に示すＩＣＭ録音の期間は、ベル鳴動は継続し、携帯電話機４０−２においてオフフックによる応答があれば着信可能である。この期間中に着信に対する応答が無ければ、着信は切断される。
【０１０２】
以上、説明したように、コードレス電話装置によれば、固定電話網からの着信に対して、コードレス電話装置の親機が留守電応答中であっても、宅外に持ち出した携帯情報端末は留守電応答が終了するまでは着信鳴動を継続するため、利用者は応答機会を失うことなく着信に応答することができる。
【０１０３】
（第２の実施形態）
第２の実施形態では、第１の実施形態において説明したコードレス電話システムの留守応答時の動作の変形例について説明する。
【０１０４】
＜留守応答時の動作の変形例＞
図１０は、第２実施形態におけるコードレス電話システムの留守応答シーケンス図である。以下、図１０のシーケンス図に従って、留守応答時の動作について説明する。なお、着信呼出に至るまでの動作については図５と同様であるため説明を省略し、留守応答時の動作を説明した図６と重複する部分については説明を簡略化する。
【０１０５】
呼出中の状態に遷移したコードレス電話親機１０は、所定の時間が経過してもコードレス電話子機３０、携帯電話機４０−１、携帯電話機４０−２およびコードレス電話親機１０自身での利用者による応答操作がなかった場合（ステップ６０１）、以下に示す留守番電話メッセージによる留守応答を行う。
【０１０６】
コードレス電話親機１０は、留守応答に先立ち先ずコードレス電話親機１０自身の着信鳴動を停止するとともに、コードレス電話子機３０と携帯電話機４０−１に対して着信鳴動の停止処理を行う（ステップ６０２）。
【０１０７】
ここで、第２実施形態におけるコードレス電話システムにおいて第１に特徴的なことは、第１実施形態で説明したものと同様に、留守応答を行う場合に、宅外の携帯電話機４０、即ち携帯電話機４０−２に対しては着信鳴動の停止処理は行っていないことである。
【０１０８】
コードレス電話親機１０は、次に、携帯電話機４０−１の他に携帯電話機４０−２およびコードレス電話子機３０に対して留守応答中を表示する処理を行う（ステップ６０３）。
【０１０９】
ここで、第２実施形態におけるコードレス電話システムにおいて第２に特徴的なことは、留守応答を行う場合に、宅外の携帯電話機４０、即ち携帯電話機４０−２に対しては着信鳴動を継続させたままで、留守応答中である旨を携帯電話機４０−２上に表示することである。
【０１１０】
携帯電話機４０−２への留守応答中を表示する処理も、第１実施形態で説明したものと同様に、例えばＳＩＰに準拠してＮＯＴＩＦＹメッセージに留守応答中表示を示す情報要素を含めて送信することにより行う。コードレス電話子機３０への留守応答中を表示する処理は、例えば内部メッセージ、あるいは、上記Ｑ．９３１仕様に準拠したＩｎｆｏメッセージ相当のメッセージに留守応答中表示を示す情報要素を含めて送信することにより行う。
【０１１１】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網およびコードレス電話子機３０との間の音声パスを接続して留守番電話メッセージを聴取可能に制御する（ステップ６０４）。そして呼出停止中で留守番電話メッセージ聴取中の状態に遷移する。
【０１１２】
図１１は、第２実施形態におけるコードレス電話システムの親機の留守応答動作を示すフローチャートである。
【０１１３】
図１１では、図１０において説明したコードレス電話システムの留守応答動作の中でもコードレス電話親機１０の留守応答動作について更に詳しく説明する。なお、図７と重複する部分については説明を簡略化する。
【０１１４】
呼出中の状態に遷移したコードレス電話親機１０は、所定の時間が経過したか否かを判断する（ステップ７０１）。
【０１１５】
ステップ７０１において、所定の時間が経過していなければ所定の時間が経過するまで待つ（ステップ７０１：Ｎｏ）。所定の時間が経過していれば（ステップ７０１：Ｙｅｓ）、コードレス電話親機１０自身の着信鳴動を停止する（ステップ７０２）。
【０１１６】
コードレス電話親機１０は、次に記憶部１０３に記憶されている登録子機（子機として登録されている携帯電話機と、更にその携帯電話機についての宅外／宅内の情報を含む）と登録子機の現在の状態を参照する（ステップ７０３）。
【０１１７】
ステップ７０３において、呼出中（着信鳴動中）の状態の宅外の携帯電話機があれば（ステップ７０３：Ｎｏ）、留守応答中である旨の表示をさせるためのメッセージを無線ＬＡＮ  Ｉ／Ｆ部１０９を介して送信し、その携帯電話機の状態は変えずに、即ち着信鳴動をさせたままで、留守応答中である旨の表示をさせる（ステップ７０４）。
【０１１８】
ステップ７０３において、呼出中（着信鳴動中）の状態の子機や宅内の携帯電話機があれば（ステップ７０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ７０５）。
【０１１９】
そして、その子機や携帯電話機に留守応答中である旨の表示をさせるためのメッセージをコードレス電話子機無線Ｉ／Ｆ部１０７や無線ＬＡＮ  Ｉ／Ｆ部１０９を介して送信し、留守応答中である旨の表示をさせる処理を行う（ステップ７０６）。
【０１２０】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０およびＴＡＭ部１０２と固定電話網との間の音声パスを接続する（ステップ７０７）。
【０１２１】
そして、コードレス電話親機１０自身は呼出停止中（留守番電話メッセージ聴取中）の状態に遷移する。
【０１２２】
このように、留守応答を行う場合に、コードレス電話子機３０や宅内の携帯電話機４０−１に対しては着信鳴動の停止処理を行うが、宅外の携帯電話機４０−２に対しては着信鳴動の停止処理は行わないのである。
【０１２３】
また、留守応答を行う場合に、宅外の携帯電話機４０−２に対しては着信鳴動を継続させたままで、留守応答中である旨を携帯電話機４０−２上に表示するのである。
【０１２４】
以降、留守応答時の宅外の携帯電話機４０−２の着信への応答動作については、図８の応答シーケンス図の説明と同様であるため説明を省略する。
【０１２５】
＜変形例における留守応答時の時間経過による対応＞
図１２は、第２実施形態におけるコードレス電話システムの留守応答時の対応を示す図である。なお、留守応答時の対応を説明した図９と重複する部分については説明を簡略化する。
【０１２６】
図１２において、符号８０１に示すコードレス電話親機１０およびコードレス電話子機３０、符号８０２に示す宅内の携帯電話機４０−１、符号８０３に示す宅外の携帯電話機４０−２のそれぞれが、着信からＯＧＭ再生等の時間経過とともに対応可能な動作の一例を示す。
【０１２７】
符号８０１に示すコードレス電話親機１０およびコードレス電話子機３０は、符号８０４に示すベル着信の期間は、ベル鳴動を繰り返す。この期間中に着信に対する応答が無ければ、ベル鳴動を停止し、符号８０５に示すＯＧＭ再生の期間に移る。
【０１２８】
なお、図１２に明示していないが、符号８０４に示すベル着信の期間は、着信に対する応答が可能である（符号８０２に示す宅内の携帯電話機４０−１、符号８０３に示す宅外の携帯電話機４０−２の場合も同様に着信に対する応答が可能）。
【０１２９】
符号８０５に示すＯＧＭ再生の期間は、ＯＧＭ再生の音声をモニタし、コードレス電話親機１０またはコードレス電話子機３０においてオフフックによって着信に対する応答があれば着信可能である。この期間中に着信に対する応答が無ければ、符号８０６に示すＩＣＭ録音の期間に移る。
【０１３０】
符号８０６に示すＩＣＭ録音の期間は、ＩＣＭ録音の音声をモニタし、コードレス電話親機１０またはコードレス電話子機３０においてオフフックによる応答があれば着信可能である。この期間中に着信に対する応答が無ければ、着信は切断される。
【０１３１】
なお、ＯＧＭ再生およびＩＣＭ録音の期間は、無音中でも留守電応答中であることがわかるように「留守電応答中」を表示するようにしても構わない。表示はＬＥＤ（Ｌｉｇｈｔ  Ｅｍｉｔｔｉｎｇ  Ｄｉｏｄｅ）の点滅等による単純なものでも構わない。
【０１３２】
符号８０２に示す宅内の携帯電話機４０−１は、符号８０４に示すベル着信の期間は、ベル鳴動を所定時間繰り返す。この期間中に着信に対する応答が無ければ、ベル鳴動を停止し、符号８０５に示すＯＧＭ再生の期間に移る。
【０１３３】
符号８０５に示すＯＧＭ再生の期間は、「留守電応答中」を表示し、携帯電話機４０−１においてオフフックによって着信に対する応答があれば着信可能である。この期間中に着信に対する応答が無ければ、符号８０６に示すＩＣＭ録音の期間に移る。
【０１３４】
符号８０６に示すＩＣＭ録音の期間は、「留守電応答中」を表示し、携帯電話機４０−１においてオフフックによる応答があれば着信可能である。この期間中に着信に対する応答が無ければ、着信は切断される。
【０１３５】
なお、ＯＧＭ再生およびＩＣＭ録音の期間は、「留守電応答中」を表示中でも留守電応答中であることがわかるようにコードレス電話親機１０から携帯電話機４０−１にＯＧＭ再生およびＩＣＭ録音の音声データを逐次送信して携帯電話機４０−１から出力するようにしても構わない。
【０１３６】
符号８０３に示す宅外の携帯電話機４０−２は、符号８０４に示すベル着信の期間は、ベル鳴動を所定時間繰り返す。この期間中に着信に対する応答が無ければ、ベル鳴動を停止することなく、符号８０５に示すＯＧＭ再生の期間に移る。
【０１３７】
符号８０５に示すＯＧＭ再生の期間は、「留守電応答中」を表示し、ベル鳴動は継続し、携帯電話機４０−２においてオフフックによって着信に対する応答があれば着信可能である。この期間中に着信に対する応答が無ければ、符号８０６に示すＩＣＭ録音の期間に移る。
【０１３８】
符号８０６に示すＩＣＭ録音の期間は、「留守電応答中」を表示し、ベル鳴動は継続し、携帯電話機４０−２においてオフフックによる応答があれば着信可能である。この期間中に着信に対する応答が無ければ、着信は切断される。
【０１３９】
なお、ＯＧＭ再生およびＩＣＭ録音の期間でも音声モニタが可能なように、設定により、１度目のオフフックで音声モニタを行い、２度目のオフフックにより応答するようにしても構わない。
【０１４０】
以上、説明したように、コードレス電話装置によれば、固定電話網からの着信に対して、コードレス電話装置の親機が留守電応答中であっても、宅外に持ち出した携帯情報端末は留守電応答が終了するまでは着信鳴動を継続するため、利用者は応答機会を失うことなく着信に応答することができる。
【０１４１】
また、着信鳴動中の宅外の携帯情報端末には、着信鳴動中であっても親機が留守応答中である旨の表示がされるため、利用者は親機が留守応答中であることを把握しつつ着信に応答することができる。
【産業上の利用可能性】
【０１４２】
本発明は、携帯情報端末を宅外においてもコードレス電話機の子機として使い勝手良く使用することが可能な電話装置等に有用である。
【符号の説明】
【０１４３】
１０  コードレス電話親機
２０  アクセスポイント
３０  コードレス電話子機
４０、４０−１、４０−２  携帯電話機
１０１  ＮＣＵ及びモデム部
１０２  ＴＡＭ部
１０３、１３１、１４３  記憶部
１０４、１３２、１４４  音声入出力部
１０５、１３３、１４５  操作部
１０６、１３４、１４６  ＬＣＤ部
１０７  コードレス電話子機無線Ｉ／Ｆ部
１０８  コードレス電話子機制御部
１０９、１４７  無線ＬＡＮ  Ｉ／Ｆ部
１１０  親機制御部
【要約】
【課題】携帯情報端末を宅外においてもコードレス電話機の子機として使い勝手良く使用することが可能なコードレス電話装置およびコードレス電話システムを提供する。
【解決手段】コードレス親機は、固定電話網から着信があった場合に、前記コードレス子機と前記携帯情報端末とを着信鳴動させ、所定時間経過後に、留守応答を開始するとともに前記宅外で使用すると設定された携帯情報端末を除く着信鳴動を停止させ、前記留守応答中は前記宅外で使用すると設定された携帯情報端末の着信鳴動を継続するように制御する制御部と、を備える。
【選択図】図１【図１】
0005877485.tif 000002
【図２】
0005877485.tif 000003
【図３】
0005877485.tif 000004
【図４】
0005877485.tif 000005
【図５】
0005877485.tif 000006
【図６】
0005877485.tif 000007
【図７】
0005877485.tif 000008
【図８】
0005877485.tif 000009
【図９】
0005877485.tif 000010
【図１０】
0005877485.tif 000011
【図１１】
0005877485.tif 000012
【図１２】
0005877485.tif 000013